(57)【要約】【課題】リード線を引っ張った際にリード線と基板の直結部分に直接負荷が掛かるのを防ぎ、かつリード線を容易に引出せ組立が容易な中継器を提供する。【解決手段】中継器盤内に複数収められるケース本体２０と、該ケース本体２０に収納した基板１０からなると共に、該基板１０はリード線１２ａ、１２ｂ接続用の端子台１１を備えてなる中継器１において、上記ケース本体２０はその上部に蓋体３０を着脱自在に取付けてなり、上記基板１０は上端部近傍に設けた結線部１３ａ、１３ｂに一端が直結されたリード線１２ａ、１２ｂを有し、上記蓋体３０は上記リード線１２ａ、１２ｂを引出す線開口部３３を有すると共に、該線開口部３３と上記基板１０の結線部１３ａ、１３ｂの間に線保持部３６を有し、この線保持部３６によって上記リード線１２ａ、１２ｂを保持してなる。【選択図】  図３
2004266114.tif 000002
【特許請求の範囲】
【請求項１】
中継器盤内に複数収められるケース本体と、該ケース本体に収納した基板からなると共に、該基板はリード線接続用の端子台を備えてなる中継器において、
上記ケース本体はその上部に蓋体を着脱自在に取付けてなり、上記基板は上端部近傍に設けた結線部に一端が直結されたリード線を有し、
上記蓋体は上記リード線を引出す線開口部を有すると共に、該線開口部と上記基板の結線部の間に線保持部を有し、この線保持部によって上記リード線を保持してなることを特徴とする中継器。
【請求項２】
上記線保持部は収容溝を有し、該収容溝に上記リード線を収めて上記線開口部及び結線部よりも下方で保持することを特徴とする請求項１記載の中継器。
【請求項３】
上記線保持部の収容溝は上記リード線が挟まる幅に形成されていることを特徴とする請求項２記載の中継器。
【請求項４】
上記蓋体は上記端子台を露出させる端子開口部を有し、上記線開口部は上記端子開口部と連続していることを特徴とする請求項１〜３のいずれか１項に記載の中継器。
【請求項５】
上記線開口部は上記リード線と略同幅に形成されていることを特徴とする請求項１〜４のいずれか１項に記載の中継器。
【発明の詳細な説明】
【０００１】
【発明の属する技術分野】
本発明は火災報知設備や防犯設備等の受信機と端末機器との間に設けられる中継器に関し、より詳細には中継器盤に複数個まとめて収納され相互に連結される中継器に関する。
【０００２】
【従来の技術】
例えば特許文献１に示すような火災報知設備や、その他防犯設備等では通常、端末機器と受信機との間に、相互間の信号のやりとりを中継する中継器が設置される。このような中継器は通常、中継器盤に複数個まとめて収納される。ここで、隣接する中継器同士は信号線Ｓとコモン線ＳＣが連結され、信号を相互に授受している。従来、信号線Ｓ、コモン線ＳＣを連結するには、リード線の両端をそれぞれ隣接する中継器の端子台の端子穴に挿入して渡り配線を行っている。
しかし、中継器盤に収納される中継器の数は数十個にも及ぶ場合があり、それぞれの中継器を、リード線の両端部を逐次中継器の端子穴に挿入して連結していたのでは、作業が繁雑であり、現場における取付工数、取付時間の増加を招く。
【０００３】
【特許文献１】
特開平１０−１４３７７６（図１）
【０００４】
そこで本発明者は、基板に信号線Ｓ、コモン線ＳＣとそれぞれ導通する結線部を設け、この結線部にリード線の一端を半田付け等で直結した中継器を発明した。このような構成とすることによって、中継器同士を連結する際に、リード線の一端を端子台の端子穴に挿入する作業が不要となり、中継器の取付けに必要な作業を大幅に減少させることができる。
またこれに伴い、ケース本体を上方開口状で底深に形成すると共に、その上部に基板の端子台を露出させる蓋体を取付ける構成とした。これによって、基板に直結したリード線を上方から外部に引出すことが容易となる。
【０００５】
【発明が解決しようとする課題】
ところで、このようにリード線を基板に直結した場合、誤ってリード線を引っ張ると、基板の結線部とリード線との直結部分に直接負荷が掛かり、リード線が外れたり、基板上の回路パターンが剥がれたりする恐れがある。また、リード線を上方から外部に引出すためには、蓋体にリード線用の開口部を設ける必要がある。このような開口部は、リード線を通しやすく、かつリード線を蓋体において定位置に固定する必要がある。
【０００６】
本発明は以上の問題点を鑑みてなされたものであり、リード線を引っ張った際にリード線と基板の直結部分に直接負荷が掛かるのを防ぎ、かつリード線を容易に引出せ組立が容易な中継器を提供することを目的とする。
【０００７】
【課題を解決するための手段】
上記課題を解決するため本発明は、中継器盤内に複数収められるケース本体と、該ケース本体に収納した基板からなると共に、該基板はリード線接続用の端子台を備えてなる中継器において、上記ケース本体はその上部に蓋体を着脱自在に取付けてなり、上記基板は上端部近傍に設けた結線部に一端が直結されたリード線を有し、上記蓋体は上記リード線を引出す線開口部を有すると共に、該線開口部と上記基板の結線部の間に線保持部を有し、この線保持部によって上記リード線を保持してなることを特徴として構成されている。
【０００８】
また本発明は、上記線保持部は収容溝を有し、該収容溝に上記リード線を収めて上記線開口部及び結線部よりも下方で保持することを特徴として構成されている。
【０００９】
また本発明は、上記線保持部の収容溝は上記リード線が挟まる幅に形成されていることを特徴として構成されている。
【００１０】
また本発明は、上記蓋体は上記端子台を露出させる端子開口部を有し、上記線開口部は上記端子開口部と連続していることを特徴として構成されている。
【００１１】
また本発明は、上記線開口部は上記リード線と略同幅に形成されていることを特徴として構成されている。
【００１２】
【発明の実施の形態】
以下、本発明の実施の形態について、図面を参照しつつ詳細に説明する。図１は本発明の実施形態における中継器の分解図、図２は本発明の実施形態における蓋体の底面斜視図、図３は基板を蓋体に取付けた状態における図２のＡ−Ａ断面図、図４は本発明の実施形態における中継器の側方斜視図、図５は本発明の実施形態における中継器をリード線によって連結した状態の上面模式図である。なお、本実施形態において、上下左右は図１に示す向きとする。
本実施形態における中継器１は、中継器盤（図示せず）に複数個並べて収納されるものであり、図１に示すように、中継器盤に収納されるケース本体２０、及びこのケース本体２０に収納され、端末機器と受信機との間の信号を処理するための回路が実装された基板１０からなる。ケース本体２０には基板１０を収納した状態で上部に蓋体３０が取付けられる。
【００１３】
ケース本体２０に収納される基板１０は略長方形状であり、その上端近傍に端子台１１が備え付けられている。この端子台１１は、基板１０の回路内の信号線Ｓと導通するＳ端子穴１１ａ、基板１０の回路内のコモン線ＳＣと導通するＳＣ端子穴１１ｂ、及びその他受信機、端末機器等の外部からのリード線を挿入する外部端子穴１１ｃ、１１ｃを有する。
【００１４】
また同じく基板１０の上端近傍には、基板１０の回路内の信号線Ｓ、コモン線ＳＣとそれぞれ導通する結線部１３ａ、１３ｂ、及びこの結線部１３ａ、１３ｂにそれぞれの一端が直結される２本のリード線１２ａ、１２ｂを有している。即ち、従来、Ｓ端子穴１１ａあるいはＳＣ端子穴１１ｂに挿入していたリード線１２ａ、１２ｂの一端を、半田付け等により直接基板１０に接続する。この結線部１３ａ、１３ｂは、端子台１１のＳ端子穴１１ａ、ＳＣ端子穴１１ｂ近傍に設けられる。また、リード線１２ａ、１２ｂの他端の接続部１４ａ、１４ｂには、Ｓ端子穴１１ａ、ＳＣ端子穴１１ｂの直径と略同径の棒状の差込端子１５ａ、１５ｂが設けられている。
ここで、基板１０の形状については特に略長方形に限定されるものではなく、どのような形状でもよい。また、基板１０上の端子台１１や結線部１３ａ、１３ｂの位置も、特にこれに限定されるものではなく、基板１０の回路の配置や配線等の事情により、自由に変更可能である。
【００１５】
中継器１の基板１０をこのような構成とすることによって、隣接する中継器１、１の信号線Ｓ、コモン線ＳＣを連結する際に、リード線１２ａ、１２ｂの一端をＳ端子穴１１ａ、ＳＣ端子穴１１ｂに挿入する作業が不要となり、作業現場においては、図５に示すように、結線部１３ａに直結したリード線１２ａを他の中継器１のＳ端子穴１１ａに、結線部１３ｂに直結したリード線１２ｂを他の中継器１のＳＣ端子穴１１ｂにそれぞれ挿入するだけでよいので、中継器１の取付け作業が容易になると共に、必要な取付工数を大幅に減少させることができる。また、リード線１２ａ、１２ｂがすでに基板１０に備え付けられているので、作業現場に中継器１とは別にリード線を持込む必要もなくなる。さらに、従来リード線１２ａ、１２ｂの一端を挿入していたＳ端子穴１１ａ、ＳＣ端子穴１１ｂが必要なくなるので、端子台１１を小型にすることができ、従って中継器１を小型化することが可能となる。さらにまた、リード線１２ａ、１２ｂの接続部１４ａ、１４ｂに棒状の差込端子１５ａ、１５ｂを設けることにより、リード線１２ａ、１２ｂのＳ端子穴１１ａ、ＳＣ端子穴１１ｂへの挿入・抜出が一層容易になる。
【００１６】
このような基板１０を収納するケース本体２０は、図１に示すように上方開口状で、上述の基板１０を収納可能な幅、深さに形成され、基板１０が端子台１１を上方にして収納される。ケース本体２０がこのような構成であれば、蓋体３０は底浅でよいので、基板１０に直結したリード線１２ａ、１２ｂを、蓋体３０を介して外部に引出すことが容易となり、組立作業性が向上する。
ケース本体２０内部の基板１０の各端部と対向する部分には、基板１０の厚さと略同じ幅の溝を有するガイド部２１が設けられている。このガイド部２１を設けたことにより、基板１０をケース本体２０内に収納し易くなり中継器１の組立作業が容易となると共に、ケース本体２０内における基板１０の位置決めが可能となる。また、ケース本体２０の上端部には、後述する蓋体３０の係合部３４と係合する被係合部２２が形成されている。さらに、ケース本体２０の下部には、中継器盤の底に設けられたレール（図示せず）が収まるレール収容部２３、及び中継器盤にねじ止め固定するためのねじ孔２４が設けられている。これによって、中継器１が中継器盤に収納された際の位置決め、固定がなされる。
【００１７】
またケース本体２０の側面部２０ａには、図４に示すように、ケース本体２０の外部に引出したリード線１２ａ、１２ｂを保持するリード線収容部２５が設けられている。このリード線収容部２５は、基板１０の結線部１３ａ、１３ｂに近い側の側面部２０ａに設けられる。
このリード線収容部２５により、中継器１を作業現場に運ぶ際に、リード線１２ａ、１２ｂをリード線収容部２５に収容しておくことができるので、リード線１２ａ、１２ｂが垂れ下がって他の機器等に絡まる心配もない。また、複数の中継器１、１をリード線１２ａ、１２ｂによって連結する際に、最後の中継器１のリード線１２ａ、１２ｂは接続先がなく余ってしまうが、図５に示すように、この余ったリード線１２ａ、１２ｂをリード線収容部２５に収容しておくことにより、短絡を防ぐことができる。このリード線収容部２５は、図４に示すように、フック形状をしており、差込端子１５ａ、１５ｂを引っかけて収容する。あるいはリード線収容部２５を、差込端子１５ａ、１５ｂの直径と略同径の差込穴で構成してもよい。このような構成にすれば、差込端子１５ａ、１５ｂが鞘に収められたような状態になり、運送時などに差込端子１５ａ、１５ｂが傷つく恐れがなくなる。
【００１８】
ケース本体２０の上部には図１に示すように、蓋体３０が脱着自在に取付けられる。蓋体３０のケース本体２０への取付けは、係合部３４をケース本体２０の被係合部２２に係合させることにより行う。この蓋体３０はなるべく底浅であるほうが、よりリード線１２ａ、１２ｂを引出しやすく望ましい。
この蓋体３０には、ケース本体２０に基板１０を納めた際に、端子台１１を外部に露出させるための端子開口部３１が形成されている。なお、この蓋体３０の製造段階においては、端子開口部３１の部分にはカバー片３２が形成されている。基板１０の端子台１１は外部端子穴１１ｃの数によってその大きさが異なるので、端子台１１の大きさに合わせてこのカバー片３２を折って取除き、必要な大きさの端子開口部３１を形成する。蓋体３０をこのような構成とすることにより、端子台１１の外部端子穴１１ｃの数が異なる様々な基板１０に対応させることができ、端子台１１の大きさに合わせた新たな蓋体３０を製造する必要がなくなる。
【００１９】
また蓋体３０には、基板１０の結線部１３ａ、１３ｂに対応する位置に基板１０のリード線１２ａ、１２ｂをケース本体２０の外部に引出すための線開口部３３が形成されている。この線開口部３３は一端が端子開口部３１と連続しており、またリード線１２ａ、１２ｂの直径と略同幅で、かつリード線１２ａ、１２ｂが２本並べて収まる大きさに形成されている。
【００２０】
線開口部３３をこのような構成とすることにより、リード線１２ａ、１２ｂを端子開口部３１に通し、その後線開口部３３側にスライドさせることによって、容易に線開口部３３内にリード線１２ａ、１２ｂを収納することができる。また端子開口部３１が端子台１１によって塞がれ、これによって線開口部３３と端子開口部３１が連続している部分も端子台１１に塞がれるので、リード線１２ａ、１２ｂを線開口部３３内に閉じこめることができ、リード線１２ａ、１２ｂを線開口部３３内に固定することができる。また線開口部３３はリード線１２ａ、１２ｂの直径と略同幅で、かつリード線１２ａ、１２ｂが２本並べて収まる大きさであることから、リード線１２ａ、１２ｂの線開口部３３内における位置も略固定することができる。
なお、線開口部３３の幅をリード線１２ａ、１２ｂの幅よりも若干狭く形成するようにしてもよい。このように形成すれば、リード線１２ａ、１２ｂが線開口部３３に挟まれて固定され、より引っ張りに強くなる。
【００２１】
さらに図２に示すように、この線開口部３３と基板１０の結線部１３ａ、１３ｂの間には、リード線１２ａ、１２ｂを保持する線保持部３６が形成されている。この線保持部３６には、リード線１２ａ、１２ｂよりも若干狭い幅の収容溝３６ａ、３６ｂが形成されており、この収容溝３６ａ、３６ｂ内にリード線１２ａ、１２ｂが挟まれて収められた状態となる。またこの収容溝３６ａ、３６ｂは結線部１３ａ、１３ｂ及び線開口部３３よりも下方に形成されており、図３に示すように、結線部１３ａ、１３ｂに直結されたリード線１２ａ、１２ｂが線開口部３３から上方に引出されるときに、必ずこの収容溝３６ａ、３６ｂで保持される。また、収容溝３６ａ、３６ｂが結線部１３ａ、１３ｂ及び線開口部３３よりも下方へ形成されており、リード線１２ａ、１２ｂが外から引っ張られた場合でも、結線部１３ａ、１３ｂへ直接加わる力を抑えている。なお、収容溝３６ａ、３６ｂが結線部１３ａ、１３ｂ及び線開口部３３と略同じ高さに形成されていても、同様にリード線１２ａ、１２ｂを保持することは可能である。
【００２２】
蓋体３０にこのような線保持部３６を設けることにより、ケース本体２０から引出されたリード線１２ａ、１２ｂが作業中などに誤って引っ張られても、線保持部３６に保持されて負荷が吸収され、基板１０の結線部１３ａ、１３ｂとリード線１２ａ、１２ｂとの直結部分に掛かる負荷を軽減することができる。これによって結線部１３ａ、１３ｂからリード線１２ａ、１２ｂが外れたり、基板１０のパターンが剥がれたりするのを防ぐことができる。
また、収容溝３６ａ、３６ｂ内にリード線１２ａ、１２ｂを収め、この収容溝３６ａ、３６ｂの幅をリード線１２ａ、１２ｂの幅よりも若干狭くリード線１２ａ、１２ｂが挟まる幅に形成しているので、リード線１２ａ、１２ｂが収容溝３６ａ、３６ｂ内に固定され、より引っ張りに強くなる。
【００２３】
さらにまた、蓋体３０底面の基板１０上端角部と対向する位置には、基板保持部３５が設けられている。この基板保持部３５は基板１０の厚さと略同幅の溝を有するように形成されており、基板１０をこの基板保持部３５にはめ込んで蓋体３０側で一時的に保持することが可能となっている。
この基板保持部３５を設けることにより、リード線１２ａ、１２ｂを線開口部３３内に固定し、また線保持部３６の収容溝３６ａ、３６ｂ内に収めた状態で、蓋体３０を基板１０と共にケース本体２０に取付けることが可能となり、リード線１２ａ、１２ｂをケース本体２０外部に引出した状態での中継器１の組立作業が非常に容易となる。
【００２４】
【発明の効果】
以上本発明によれば、ケース本体はその上部に蓋体を着脱自在に取付けてなり、基板は上端部近傍に設けた結線部に一端が直結されたリード線を有し、蓋体はリード線を引出す線開口部を有すると共に、線開口部と上記基板の結線部の間に線保持部を有し、この線保持部によってリード線を保持してなることから、ケース本体から引出されたリード線が誤って引っ張られても、線保持部に保持されて負荷が吸収され、基板の結線部に掛かる負荷を軽減することができ、これによって結線部からリード線が外れたり、基板のパターンが剥がれたりするのを防ぐことができる。
【００２５】
また本発明によれば、線保持部は収容溝を有し、この収容溝にリード線を収めて線開口部及び結線部よりも下方で保持することから、リード線が収容溝内に挟まって固定され、また誤って引っ張られても確実に収容溝に保持されるので、より引っ張りに強くなると共に、確実に負荷を軽減することができる。
【００２６】
また本発明によれば、線保持部の収容溝はリード線が挟まる幅に形成されていることから、リード線が収容溝内に挟まって固定され、より引っ張りに強くなる。
【００２７】
また本発明によれば、蓋体は上記端子台を露出させる端子開口部を有し、この線開口部は端子開口部と連続していることから、リード線を端子開口部に通し、その後線開口部側にスライドさせることによって、容易に線開口部内にリード線を収納することができる。また端子開口部を端子台で塞ぐことにより、リード線を線開口部内に固定することができる。
【００２８】
また本発明によれば、線開口部はリード線と略同幅に形成されていることから、リード線の線開口部内における位置も略固定することができる。
【図面の簡単な説明】
【図１】本発明の実施形態における中継器の分解図である。
【図２】本発明の実施形態における上蓋部の底面斜視図である。
【図３】基板を蓋体に取付けた状態における図２のＡ−Ａ断面図である。
【図４】本発明の実施形態における中継器の側方斜視図である。
【図５】本発明の実施形態における中継器をリード線によって連結した状態の上面模式図である。
【符号の説明】
１    中継器
１０    基板
１１    端子台
１１ａ  Ｓ端子穴
１１ｂ  ＳＣ端子穴
１１ｃ  外部端子穴
１２ａ、１２ｂ  リード線
１３ａ、１３ｂ  結線部
１４ａ、１４ｂ  接続部
１５ａ、１５ｂ  差込端子
２０    ケース本体
２０ａ  側面部
２１    ガイド部
２２    被係合部
２３    レール収容部
２４    ねじ孔
２５    リード線収容部
３０    蓋体
３１    端子開口部
３２    カバー片
３３    線開口部
３４    係合部
３５    基板保持部
３６    線保持部
３６ａ、３６ｂ  収容溝
【図１】
2004266114.tif 000003
【図２】
2004266114.tif 000004
【図３】
2004266114.tif 000005
【図４】
2004266114.tif 000006
【図５】
2004266114.tif 000007